(57)【要約】【課題】  電池切れに起因する締め出しなどの不都合が生じることなく、非接触で電源を供給して確実に施解錠を行う。【解決手段】  電子キー１は、充電可能な二次電池１ａと、電気錠２の施錠又は解錠を指示する操作部１ｂとを備え、操作部１ｂが操作されたときに、二次電池１ａから自身の回路に電源を供給するとともに、一次側巻線としてのコイル３を励磁して電力とともに電気錠２を施解錠するための施解錠情報をコイル３から送出する。電気錠２は、電子キー１のコイル３から送出される電力及び施解錠情報を二次側巻線としてのコイル６から電磁結合作用によって非接触で受け、電力を自身の回路に供給し、電子キー１から電力とともに受けた施解錠情報を予め記憶された錠前の施解錠を許可する登録情報と照合し、両者が一致したときのみ施解錠情報に基づいて錠前を施解錠する。【選択図】    図１
2006200258.tif 000002
【特許請求の範囲】
【請求項１】
電池で作動する電気錠に用いられる電子キーであって、
充電可能な電池と、
前記電気錠の施錠又は解錠を指示する操作部と、
前記操作部が操作されたときに、前記電池から自身の回路に電源を供給するとともに、一次側巻線としてのコイルを励磁して電力とともに前記電気錠を施解錠するための施解錠情報を前記コイルから送出する手段とを備えたことを特徴とする電子キー。
【請求項２】
請求項１記載の電子キーを用いた電池駆動式電気錠であって、
前記電子キーの一次側巻線としてのコイルから送出される電力及び施解錠情報を、二次側巻線としてのコイルから非接触で受け、前記電力を自身の回路に供給する電源に変換する手段と、
前記電子キーから電力とともに受けた施解錠情報を、予め記憶された錠前の施解錠を許可する登録情報と照合し、両者が一致したときのみ前記施解錠情報に基づいて前記錠前を施解錠する手段とを備えたことを特徴とする電池駆動式電気錠。
【発明の詳細な説明】
【技術分野】
【０００１】
本発明は、充電可能な電池（二次電池）を備え、電池からの電力とともにＩＤデータ等の施解錠情報を出力する電子キーに関するとともに、この電子キーからの電源供給により作動し、電子キーから入力される施解錠情報の照合結果に基づいて錠前を施解錠する電池駆動式電気錠に関するものである。
【背景技術】
【０００２】
近年、例えばオフィスビルやマンションなどの一般住宅の扉には、不審者の侵入を回避するため、防犯性に富んだ電気錠システムが採用されている。この種の電気錠システムは、特定の施解錠信号により、例えばモータやソレノイドなどの駆動手段を電気的に駆動して錠内部の施解錠機構やデッドボルトを電気的に進退させ、錠の施解錠を行っている。そして、この種の電気錠システムとしては、例えば下記特許文献１に開示されるものが知られている。
【０００３】
特許文献１に開示される電気錠システムは、図６に示すように、ドア５１に設置された電気錠５２及び電気錠制御部（図示せず）と、壁に設置され電気的な手段により電気錠５２の施錠や解錠を決定し、電気錠５２を制御するための制御信号を出力する施解錠決定手段５３とを備え、ドア５１の一側が蝶番５４にてドア枠５５に連結されている（ドア枠５５に開閉自在に取り付けられている）。施解錠決定手段５３には、電源線５６によって交流電源（ＡＣ１００Ｖ又はＡＣ２００Ｖ）が供給され、施解錠決定手段５３と前記電気錠制御部との間は、電線５７，５８及び伝送手段Ａを介して信号が伝送されるようになっている。
【特許文献１】特開平１０−２５９３５号公報
【発明の開示】
【発明が解決しようとする課題】
【０００４】
ところで、上述した特許文献１に開示される電気錠システムでは、電源線５６を介して交流電源が供給される構成なので、配線の手間がかかるだけでなく、電気錠５２と電気錠制御部との間を接続する通線経路の任意の箇所で不正に通線を切断し、又は電線の被覆を剥いで電源装置を接続し、この電源装置からの電源の供給により不正に電気錠５２の施解錠が容易に行われてしまうという問題があった。
【０００５】
そこで、上記問題を解消するための対策案として、扉に付けた錠前に電池を内蔵させて施解錠を行う電池式電子ロックが知られている。この電池式電子ロックでは、施解錠を行うためのＩＤデータとして、テンキー入力による暗証番号、読取可能なＩＣカードに予め記憶されたＩＤデータ等を用いている。
【０００６】
このように、従来の電池式電子ロックでは、扉に付けた錠前に電池を内蔵させて駆動電源とし、外部入力される暗証番号やＩＤデータの照合結果に基づいて施解錠動作させていた。そのため、電池が切れると作動不能となり、部屋に入れないなどの新たな問題が生じていた。
【０００７】
そこで、従来、上記のような事態を招くことのないように、定期的に電池交換などのメンテナンスを行っている。しかし、部屋数が多い用途では、交換のためのメンテナンス契約を行う場合があり、そのための費用が相当発生するという問題があった。また、扉の設置環境が悪いと、電池の液漏れなどが発生して、電子ロック全体を交換しなければならないという問題があった。
【０００８】
ところで、上述した電池式電子ロックとして、扉に接触式端子を設け、この接触式端子に電源線を接続して給電する方法も知られている。しかし、この方法では、屋外に面した扉では雨や埃の防御策を講じなければならない。しかも、いたずら等で給電端子に高電圧を印加して電子ロックが破壊される恐れもあった。
【０００９】
そこで、本発明は上記問題点に鑑みてなされたものであり、施解錠時に電気錠に対して電源を非接触で確実に供給することが可能な電子キーを提供するとともに、この電子キーを用いることにより電池切れに起因する締め出しなどの不都合が生じることなく、非接触で電源を供給して確実に施解錠を行うことができる電池駆動式電気錠を提供することを目的とするものである。
【課題を解決するための手段】
【００１０】
上記した目的を達成するために、請求項１に記載された電子キーは、電池で作動する電気錠に用いられる電子キーであって、
充電可能な電池と、
前記電気錠の施錠又は解錠を指示する操作部と、
前記操作部が操作されたときに、前記電池から自身の回路に電源を供給するとともに、一次側巻線としてのコイルを励磁して電力とともに前記電気錠を施解錠するための施解錠情報を前記コイルから送出する手段とを備えたことを特徴とする。
【００１１】
請求項２に記載された電池駆動式電気錠は、請求項１記載の電子キーを用いた電池駆動式電気錠であって、
前記電子キーの一次側巻線としてのコイルから送出される電力及び施解錠情報を、二次側巻線としてのコイルから非接触で受け、前記電力を自身の回路に供給する電源に変換する手段と、
前記電子キーから電力とともに受けた施解錠情報を、予め記憶された錠前の施解錠を許可する登録情報と照合し、両者が一致したときのみ前記施解錠情報に基づいて前記錠前を施解錠する手段とを備えたことを特徴とする。
【発明の効果】
【００１２】
本発明によれば、電子キーに内蔵した電池から非接触で電気錠に電源を供給することができる。これにより、従来の扉側電子ロックに実装されていた、電池切れに起因する締め出しなどの不都合を防止することができる。しかも、温度変化の激しい扉内で発生する、電池の液漏れの問題も防止することができる。
【００１３】
また、電子キーは電池が充電可能な充電式なので、電池切れに起因するメンテナンスも不要となる。これにより、部屋数の多い用途で問題となる、多額のメンテナンス費用も発生しない。
【発明を実施するための最良の形態】
【００１４】
以下、本発明の実施の形態について、添付した図面を参照しながら具体的に説明する。図１は本発明に係る電子キーと電池駆動式電気錠（以下、電気錠と略称する）の外観を示す部分斜視図、図２は本発明に係る電子キーと電気錠の内部構成を示すブロック図、図３は本発明に係る電子キーの充電に用いられる非接触式充電器の概略図、図４は本発明に係る電子キーと非接触式充電器の内部構成を示すブロック図、図５は本発明の電子キーの登録・抹消に用いられる登録・抹消用電子キーの平面図である。
【００１５】
まず、電子キー１の構成について図１及び図２を参照しながら説明する。図１に示すように、電子キー１は、本体１Ａが矩形状をなし、利用者が携帯可能な大きさに形成される。この電子キー１は、図２に示すように、本体１Ａに操作部１ｂ及び充電表示部１ｊを具備し、二次電池１ａ、電源切替部１ｃ、制御部１ｄ、記憶部１ｅ、電池電圧検出回路１ｆ、スイッチング回路１ｇ、整流平滑回路１ｈ、充電回路１ｉ、警報部１ｋが本体１Ａに内蔵されている。
【００１６】
操作部１ｂは、追って詳述する電気錠２の施錠時に押下される施錠釦１ｂａと、電気錠２の解錠時に押下される解錠釦１ｂｂとを有している。この施錠釦１ｂａと解錠釦１ｂｂは、図１に示すように、例えば「施錠」、「解錠」の文字表示にそれぞれ対応して本体１Ａに並設された押し釦で構成される。また、施錠釦１ｂａと解錠釦１ｂｂは、図２に示すように、一端側が二次電池１ａに接続され、他端側が電源切替部１ｃを介して制御部１ｄに接続されている。そして、施錠釦１ｂａ又は解錠釦１ｂｂが押下されたときの押下信号が制御部１ｄに入力される。
【００１７】
電源切替部１ｃは、二次電池１ａと制御部１ｄとの間に接点部１ｃ１を有するとともに、一次側巻線として機能するコイル３とスイッチング回路１ｇ及び整流平滑回路１ｈとの間に接点部１ｃ２を有している。電源切替部１ｃは、操作部１ｂの施錠釦１ｂａ又は解錠釦１ｂｂの押下の有無に応じて上記接点部１ｃ１，１ｃ２を連動して切り替えている。すなわち、操作部１ｂが操作されていない状態では、二次電池１ａと制御部１ｄとの間が切り離されるように接点部１ｃ１を切り替え、一次側巻線として機能するコイル３が整流平滑回路１ｈとの間で接続するように接点部１ｃ２を切り替える。そして、施錠釦１ｂａ又は解錠釦１ｂｂが押下されると、二次電池１ａと制御部１ｂとの間が接続されるように接点部１ｃ１をオンに切り替え、同時に一次側巻線として機能するコイル３が整流平滑回路１ｈから切り離されてスイッチング回路１ｇとの間で接続するように接点部１ｃ２を切り替える。これにより、二次電池１ａから制御部１ｄ、電池電圧検出回路１ｆ、スイッチング回路１ｇの各部に電力が供給される。
【００１８】
制御部１ｄは、操作部１ｂの施錠釦１ｂａ又は解錠釦１ｂｂの押下による押下信号のオンに応じて、コマンドデータ（施錠コマンド又は解錠コマンド）と電気錠２を施解錠するためのＩＤデータを施解錠情報として生成し、この生成されたデータ（施解錠情報）をシリアルデータにしてスイッチング回路１ｇに出力している。
【００１９】
記憶部１ｅは、不揮発メモリで構成され、制御部１ｄに接続されており、制御部１ｄで生成されたＩＤデータを記憶している。
【００２０】
電池電圧検出回路１ｆは、操作部１ｂの施錠釦１ｂａ又は解錠釦１ｂｂが押下されたときの二次電池１ａの電池電圧を検出し、この検出電圧が予め設定された電圧以下か否かに応じて警報部１ｋを制御している。
【００２１】
スイッチング回路１ｇは、制御部１ｄから入力されるシリアルデータのＨ（高レベル），Ｌ（低レベル）に応じてスイッチング周波数を変化させ、一次側巻線として機能するコイル３を励磁し、後述する電気錠２の二次側巻線６に電力と施解錠情報（コマンドデータ及びＩＤデータ）を非接触で送出している。
【００２２】
整流平滑回路１ｈは、後述する非接触式充電器８を用いて二次電池１ａを充電する際に、一次側巻線として機能したコイル３が二次側巻線となり、この二次側巻線に発生した電圧を整流・平滑し、直流電圧に変換して充電回路１ｉに出力している。
【００２３】
充電回路１ｉは、整流平滑回路１ｈからの直流電圧により二次電池１ａを充電している。なお、充電回路１ｉには、ΔＶ検出などの方法で二次電池１ａの満充電を検出する検出機能を備えている。
【００２４】
充電表示部１ｊは、充電回路１ｉとコイル３との間に接続された表示器で構成される。具体的に、充電表示部１ｊは、図１に示すように、「充電中」の文字表示に対応して本体１Ａに設けられるＬＥＤで構成される。この充電表示部１ｊは、後述する非接触式充電器８を用いて充電を行っている間だけ点灯し、二次電池１ａの満充電が検出されたときに消灯する。
【００２５】
警報部１ｋは、二次電池１ａと電池電圧検出回路１ｆとの間に接続された例えばブザーで構成され、操作部１ａの施錠釦１ｂａ又は解錠釦１ｂｂが操作されて電池電圧検出回路１ｆの検出電圧が所定電圧以下のときに鳴動する。
【００２６】
次に、電気錠２の構成について図１及び図２を参照しながら説明する。図１に示すように、電気錠２は、扉４に装備され、上述した電子キー１や後述する登録・抹消用電子キー１０が押し付けられて電力や信号のやり取りが行われる窓部５を有している。
【００２７】
この電気錠２は、図２に示すように、整流平滑回路２ａ、復調部２ｂ、記憶部２ｃ、制御部２ｄ、モータ駆動回路２ｅ、モータ２ｆ、施解錠センサ２ｇ、施解錠表示部２ｈを備えて構成される。
【００２８】
整流平滑回路２ａは、二次側巻線として機能するコイル６の両端に接続され、電子キー１から非接触で送られてくる電圧をブリッジ整流してから平滑し、この平滑された電圧を直流電源として復調部２ｂ、制御部２ｄ、モータ駆動回路２ｅの各部に供給している。
【００２９】
復調部２ｂは、整流平滑回路２ａによりブリッジ整流された電圧を入力として、電子キー１からの施解錠情報（コマンドデータ、ＩＤデータ）を復調して制御部２ｄに出力している。
【００３０】
記憶部２ｃは、不揮発性メモリで構成され、電気錠２の施解錠を許可するべく予め登録された照合用のＩＤデータ（登録データ）を記憶している。
【００３１】
制御部２ｄは、復調部２ｂにより復調されたＩＤデータと、記憶部２ｃに予め登録されたＩＤデータ（登録データ）とを比較照合し、両者が一致したときにコマンドデータに従ってモータ駆動回路２ｅを通して施錠通電（又は解錠通電）を行っている。なお、制御部２ｄには、施解錠センサ２ｇからの電気錠２の施解錠状態を示す検知信号（施錠状態信号、解錠状態信号）や扉４の開閉状態を示す検知信号（扉開信号、扉閉信号）などがモニタ信号として入力している。そして、制御部２ｄは、施解錠センサ２ｇから施錠状態信号又は解錠状態信号が入力されたときに、モータ駆動回路２ｅを介してのモータ２ｆへの通電をオフし、施解錠状態に応じて施解錠表示部２ｈの表示を制御している。
【００３２】
また、制御部２ｄは、後述する登録・抹消用電子キー１０が窓部５に押し当てられて登録釦１０ｂａが押下されたときに、電子キー１の登録を行う登録モードに移行する。そして、この登録モード時に、電子キー１が窓部５に押し当てられて施錠釦１ｂａ又は解錠釦１ｂｂが押下されると、その電子キー１から電力とともに送出されるＩＤデータを記憶部２ｃに登録している。さらに、制御部２ｄは、後述する登録・抹消用電子キー１０が窓部５に押し当てられて抹消釦１０ｂｂが押下された時には、記憶部２ｃに登録されたＩＤデータを消去して登録抹消している。
【００３３】
モータ駆動回路２ｅは、制御部２ｄの制御によりモータ２ｆを駆動し、このモータ２ｆに接続された錠前を施錠方向又は解錠方向に移動させて電気錠２を施解錠している。具体的には、デッドボルト７を不図示の扉枠に設けられた係止穴に対して進退移動させて電気錠２を施錠又は解錠している。
【００３４】
施解錠センサ２ｇは、施錠センサ２ｇ１と解錠センサ２ｇ２を有している。施錠センサ２ｇ１は、錠前が施錠方向に移動、すなわちデッドボルト７が不図示の扉枠の係止穴に係止して施錠状態になったことを検知し、その検知信号（施錠状態信号）を制御部２ｄに出力している。解錠センサ２ｇ２は、錠前が解錠方向に移動、すなわちデッドボルト７が不図示の扉枠の係止穴から離脱して解錠状態になったことを検知し、その検知信号（解錠状態信号）を制御部２ｄに出力している。
【００３５】
施解錠表示部２ｈは、施錠表示部２ｈ１と解錠表示部２ｈ２を有している。これら施錠表示部２ｈ１及び解錠表示部２ｈ２は、図１に示すように、例えば「施錠」、「解錠」の文字表示にそれぞれ対応して本体２Ａに並設されたＬＥＤで構成される。
【００３６】
次に、電子キー１や後述する登録・抹消用電子キーの充電に用いられる非接触式充電器８の構成について図３及び図４を参照しながら説明する。
【００３７】
図３に示すように、非接触式充電器８は、本体８Ａから延出された電源コード８ａを有しており、例えば家庭用のコンセントに接続して商用電源（ＡＣ１００Ｖ）による電力供給を受け、本体８Ａに装着された電子キー１や後述する登録・抹消用電子キー１０の充電を行う。
【００３８】
図４に示すように、非接触式充電器８は、ブリッジ整流回路８ｂとスイッチング回路８ｃを備えている。
【００３９】
ブリッジ整流回路８ｂは、電源コード８ａを介して受けた商用電源（ＡＣ１００Ｖ）をブリッジ整流して直流電圧に変換してスイッチング回路８ｃに出力している。
【００４０】
スイッチング回路８ｃは、一次側巻線として機能するコイル９をブリッジ整流回路８ｂからの直流電圧によって励磁し、電子キー１の二次側巻線として機能するコイル３に電力を非接触で送出している。
【００４１】
次に、電子キー１の登録・抹消に用いられる登録・抹消用電子キー１０の構成について図５を参照しながら説明する。なお、この登録・抹消用電子キー１０の内部構成については上述した電子キー１と略同一なので、説明を省略する。
【００４２】
登録・抹消用電子キー１０は、本体１０Ａが電子キー１の本体１Ａと同一形状に形成され、電子キー１の施錠釦１ｂａ及び解錠釦１ｂｂに代えて、登録釦１０ｂａと抹消釦１０ｂｂからなる操作部１０ｂを有している。
【００４３】
そして、この登録・抹消用電子キー１０を用いて電子キー１の登録を行う場合には、まず登録・抹消電子キー１０を電気錠２の窓部５に押し当て、登録釦１０ｂａを押下してオンする。これにより、電気錠２の解錠表示部２ｈ２が点灯して登録モードに移行する。続いて、登録する電子キー１を電気錠２の窓部５に押し当て、施錠釦１ｂａ又は解錠釦１ｂｂを押下してオンする。そして、電気錠２の解錠表示部２ｈ２が点灯から点滅に変わると登録が完了する。
【００４４】
電子キー１の登録を抹消する場合には、登録・抹消用キー１０を電気錠２の窓部５に押し当て、抹消釦１０ｂｂを押下してオンする。これにより、電気錠２の施錠表示部２ｈ１が点滅して抹消される。
【００４５】
なお、登録・抹消用電子キー１０を充電する場合には、電子キー１と同様に、図３に示す非接触式充電器８に装着して行う。
【００４６】
次に、上記構成による電子キー１を用いて電気錠２に電源を供給して施解錠する場合の動作について説明する。なお、使用される電子キー１は、上述した登録・抹消用電子キー１０を用いて既に登録されているものとする。
【００４７】
まず、電子キー１を電気錠２の窓部５に押し当てる。この状態で、施錠釦１ｂａ（解錠釦１ｂｂ）をオンすると、二次電池１ａから制御部１ｄ、電池電圧検出回路１ｆ及びスイッチング回路１ｇにそれぞれ電源が供給される。制御部１ｄは、二次電池１ａから電源が供給されると、施錠釦１ｂａ（解錠釦１ｂｂ）のオンに応じて、コマンドデータとＩＤデータを生成し、シリアルデータにしてスイッチング回路１ｇに出力する。スイッチング回路１ｇでは、シリアルデータのＨ，Ｌに応じてスイッチング周波数を変化させて一次側巻線として機能するコイル３を励磁し、電磁誘導作用により電気錠２のコイル（二次側巻線）６に電力と施解錠情報（コマンドデータおよびＩＤデータ）を送る。電気錠２では、コイル（二次側巻線）６の電圧を整流平滑回路２ａでブリッジ整流してから平滑する。この平滑された直流電圧は、復調部２ｂ、制御部２ｄ及びモータ駆動回路２ｅのそれぞれに電源として供給される。そして、ブリッジ整流した電圧を復調部２ｂに入力し、施解錠情報であるコマンドデータとＩＤデータを復調して、制御部２ｄに出力する。制御部２ｄでは、ＩＤデータを登録データと照合して両者が一致すれば、コマンドデータに従ってモータ駆動回路２ｅを通して施錠通電（解錠通電）を行う。そして、錠前が施錠方向（解錠方向）に動作し、施錠センサ２ｇ１（解錠センサ２ｇ２）がオンすると、制御部２ｄがモータ２ｆへの通電をオフし、施錠表示部２ｈ１（解錠表示部２ｈ２）を点灯させる。
【００４８】
次に、非接触式充電器８を用いて電子キー１を充電する場合の動作について説明する。電子キー１を充電する場合には、まず充電対象となる電子キー１を非接触式充電器８にセットする。この充電動作では、施解錠操作時に一次側巻線として機能したコイル３が非接触式充電器８の電磁エネルギを受ける二次側巻線となる。そして、非接触式充電器８の一次側巻線（コイル９）から電磁誘導作用により電子キー１の二次側巻線（コイル３）に発生した電圧は、整流平滑回路１ｈにより整流・平滑され、直流電圧に変換されて充電回路１ｉに供給される。これにより、充電回路１ｉが二次電池１ａの充電を開始し、充電表示部１ｊを点灯する。そして、例えばΔＶ検出などの周知の方法によって二次電池１ａの満充電を検出すると、充電が停止して充電表示部１ｊを消灯する。
【００４９】
このように、本例では、予め登録・抹消用電子キー１０を用いて電気錠２の施解錠を許可する電子キー１を登録しておき、電気錠２の施解錠時には登録済の電子キー１を電気錠２の窓部５に押し当て、解錠釦１ｂｂ（施錠釦１ｂａ）をオンすれば、電子キー１の一次側巻線３と電気錠２の二次側巻線６との結合トランスの電磁誘導作用により、電気錠２に電力が供給されるとともに施解錠状態（コマンドデータ及びＩＤデータ）が非接触で送出され、ＩＤデータの照合一致により電気錠２の解錠表示部２ｈ２（施錠表示部２ｈ１）が点灯して解錠（施錠）が完了する。そして、電子キー１の二次電池１ａが消耗した場合には、施解錠操作時にブザーが鳴動するので、非接触式充電器８にセットして充電を行う。
【００５０】
これにより、扉４側から電池を無くし、電子キー１側に実装した電池（二次電池１ａ）から非接触で電気錠２に電源を供給することができる。そして、電子キー１を使用しないときは、非接触式充電器８にセットして充電を行い、電池切れで発生する作動不能を防止することができる。
【００５１】
このように、本例では、電子キー１に内蔵した二次電池１ａから非接触で電気錠２に電源を供給できるので、従来の扉側電子ロックに実装されていた、電池切れに起因する締め出しなどの不都合を防止することができる。しかも、温度変化の激しい扉内で発生する、電池の液漏れの問題も防止することができる。
【００５２】
また、電池（二次電池１ａ）は非接触式充電器８によって充電可能な充電式なので、電池切れに起因するメンテナンスも不要となる。これにより、部屋数の多い用途で問題となる、多額のメンテナンス費用も発生しないという利点を有している。
【００５３】
さらに、電子キー１を紛失した時は、電気錠２に登録したＩＤデータを登録・抹消電子キー１０を用いて抹消すれば、不法侵入を防止できる。また、電子キー１から送出されるＩＤデータに意味付けを行えば、特定エリアの共通キーとして使用することができる。
【００５４】
以上、本発明の最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００５５】
【図１】本発明に係る電子キーと電気錠の外観を示す部分斜視図である。
【図２】本発明に係る電子キーを含む電気錠の回路構成図である。
【図３】本発明に係る電子キーの充電に用いられる非接触式充電器の概略図であって、電子キーを装着した状態を示す図である。
【図４】本発明に係る電子キーの充電に用いられる非接触式充電器の回路構成図である。
【図５】本発明に係る電子キーの登録・抹消に用いられる登録・抹消用電子キーの平面図である。
【図６】特許文献１に開示される電気錠システムの概略構成図である。
【符号の説明】
【００５６】
１  電子キー
１Ａ  本体
１ａ  二次電池
１ｂ  操作部
１ｂａ  施錠釦
１ｂｂ  解錠釦
１ｃ  電源切替部
１ｃ１，１ｃ２  接点部
１ｄ  制御部
１ｅ  記憶部
１ｆ  電池電圧検出回路
１ｇ  スイッチング回路
１ｈ  整流平滑回路
１ｉ  充電回路
１ｊ  充電表示部
１ｋ  警報部
２  電気錠
２Ａ  本体
２ａ  整流平滑回路
２ｂ  復調部
２ｃ  記憶部
２ｄ  制御部
２ｅ  モータ駆動回路
２ｆ  モータ
２ｇ  施解錠センサ
２ｇ１  施錠センサ
２ｇ２  解錠センサ
２ｈ  施解錠表示部
２ｈ１  施錠表示部
２ｈ２  解錠表示部
３  コイル
４  扉
５  窓部
６  コイル
７  デッドボルト
８  非接触式充電器
８Ａ  本体
９  コイル
１０  登録・抹消用電子キー
１０Ａ  本体
１０ｂ  操作部
１０ｂａ  登録釦
１０ｂｂ  抹消釦
【図１】
2006200258.tif 000003
【図２】
2006200258.tif 000004
【図３】
2006200258.tif 000005
【図４】
2006200258.tif 000006
【図５】
2006200258.tif 000007
【図６】
2006200258.tif 000008